(57)【要約】【課題】装飾性や美観性を害すことなく、簡易な構成で、且つ容易に遺骨などの立体的な物を収容できる容器等を提供する。【解決手段】本願の収納部５を有する容器２は、遺骨を収納する収納部５を有する宝飾品２であって、外部と連絡し前記遺骨を出し入れするための開口５ａを有する収納部５が形成された本体４と、加熱により溶融し時間の経過とともに固化する溶融体により収納部５の開口５ａを閉塞し、本体４に固定される熱伝導性を有する蓋体６と、を具備し、前記収納部の壁面には、当該収納部の軸線方向への溶融体の移動を規制する規制手段２０が設けられている。【選択図】図５
2008253658.tif 000002
【特許請求の範囲】
【請求項１】
収納物を収納する容器であって、
外部と連絡し前記収納物を出し入れするための開口を有する収納部が形成された本体と、
加熱により溶融し時間の経過とともに固化する溶融体により前記収納部の開口を閉塞し、前記本体に固定される熱伝導性を有する蓋体と、を具備し、
前記収納部の壁面には、当該収納部の軸線方向への溶融体の移動を規制する規制手段が設けられていることを特徴とする容器。
【請求項２】
前記規制手段は、溶融体の最適量を規定するための最適量規定手段として機能することを特徴とする請求項１に記載の容器。
【請求項３】
収納物を収納する容器であって、
前記容器は、
外部と連絡し前記収納物を出し入れするための開口を有する収納部が形成された本体と、
加熱により溶融し時間の経過とともに固化する溶融体により前記収納部の開口を閉塞し、前記本体に固定される蓋体と、
前記蓋体に取り付けられ、一端が前記溶融体に接し、他端が外部に連絡する熱伝導性を有する部材と
を具備し、
前記収納部の壁面には、当該収納部の軸線方向への溶融体の移動を規制する規制手段が設けられていることを特徴とする容器。
【請求項４】
遺骨を収納する収納部を有する宝飾品であって、
外部と連絡し前記遺骨を出し入れするための開口を有する前記収納部が形成された本体と、
加熱により溶融し時間の経過とともに固化する溶融体により前記収納部の開口を閉塞し、前記本体に固定される熱伝導性を有する蓋体と、
を具備し、
前記収納部の壁面には、当該収納部の軸線方向への溶融体の移動を規制する規制手段が設けられていることを特徴とする宝飾品。
【請求項５】
遺骨を収納する収納部を有する仏具であって、
外部と連絡し前記遺骨を出し入れするための開口を有する前記収納部が形成された本体と、
加熱により溶融し時間の経過とともに固化する溶融体により前記収納部の開口を閉塞し、前記本体に固定される熱伝導性を有する蓋体と、
を具備し、
前記収納部の壁面には、当該収納部の軸線方向への溶融体の移動を規制する規制手段が設けられていることを特徴とする仏具。
【発明の詳細な説明】
【技術分野】
【０００１】
本願は、容器、収納部を有する宝飾品、及び仏具に関し、特に、収納部を有するアクセサリに関するものである。
【背景技術】
【０００２】
従来、宝飾品の一例として、腕輪、指輪、イヤリング、ピアス、バレッタやヘアーバンド等の髪飾り、櫛、ペンダント、ブローチ、ネクタイピン、ロープタイ飾り、ボタン、ベルトのバックルなどのアクセサリ類が知られている。
【０００３】
当該アクセサリは、一般にオシャレ（自分を装飾するもの）として身に着けるものであるが、ブローチやペンダントなど一部のアクセサリは、本体に開閉可能な蓋を備えるとともに当該蓋に写真などを取り付ける取付手段を備えており、写真などを蓋に取り付けられるようになっている。
【０００４】
一方、大切な人やペットの遺骨は通常は遺骨箱に入れられ、お墓に納骨されるが、心情としていつまでも大切な人やペットと一緒にいたいものであり、遺骨の一部を身に付けていつもそばに置いておきたいという要望があるが、現状ではそのようなものは見受けられない。
【発明の開示】
【発明が解決しようとする課題】
【０００５】
上記のような遺骨を、いつも身に付けるアクセサリなどに収容できれば利用者はいつでも大切な人やペットを一緒にいられるという心情を持てるため好ましい。
【０００６】
しかしながら、例えば、ブローチやペンダントは、写真などを取り付けることはできるようになっているが遺骨のように立体的な物を収容することはできない。
【０００７】
また、ブローチやペンダントに立体的な物を収容できるようにするために、その構造を複雑にし、製造コストが高くなってしまったり、また、装飾や美観としての機能が損なわれるようなものであってはならないことは言うまでもないことである。
【０００８】
そこで、本願は、装飾性や美観性を害すことなく、簡易な構成で、且つ容易に遺骨などの立体的な物を収容できる容器等を提供することを目的とする。
【課題を解決するための手段】
【０００９】
以下、本発明について説明する。なお、本発明の理解を容易にするために添付図面の参照番号を括弧書きにて付記するが、それにより本発明が図示の形態に限定されるものではない。
【００１０】
本発明の容器は、収納物を収納する容器であって、外部と連絡し前記収納物を出し入れするための開口を有する収納部が形成された本体と、加熱により溶融し時間の経過とともに固化する溶融体により前記収納部の開口を閉塞し、前記本体に固定される熱伝導性を有する蓋体と、を具備し、前記収納部の壁面には、当該収納部の軸線方向への溶融体の移動を規制する規制手段が設けられていることを特徴とする。
【００１１】
また、本発明の容器は、収納物を収納する容器であって、前記容器は、外部と連絡し前記収納物を出し入れするための開口を有する収納部が形成された本体と、加熱により溶融し時間の経過とともに固化する溶融体により前記収納部の開口を閉塞し、前記本体に固定される蓋体と、前記蓋体に取り付けられ、一端が前記溶融体に接し、他端が外部に連絡する熱伝導性を有する部材と、を具備し、前記収納部の壁面には、当該収納部の軸線方向への溶融体の移動を規制する規制手段が設けられていることを特徴とする。
【００１２】
また、本発明の宝飾品は、遺骨を収納する収納部を有する宝飾品であって、外部と連絡し前記遺骨を出し入れするための開口を有する前記収納部が形成された本体と、加熱により溶融し時間の経過とともに固化する溶融体により前記収納部の開口を閉塞し、前記本体に固定される熱伝導性を有する蓋体と、を具備し、前記収納部の壁面には、当該収納部の軸線方向への溶融体の移動を規制する規制手段が設けられていることを特徴とする。
【００１３】
また、本発明の仏具は、遺骨を収納する収納部を有する仏具であって、外部と連絡し前記遺骨を出し入れするための開口を有する前記収納部が形成された本体と、加熱により溶融し時間の経過とともに固化する溶融体により前記収納部の開口を閉塞し、前記本体に固定される熱伝導性を有する蓋体と、を具備し、前記収納部の壁面には、当該収納部の軸線方向への溶融体の移動を規制する規制手段が設けられていることを特徴とする。
【発明を実施するための最良の形態】
【００１４】
以下、図面を参照して発明を実施するための最良の形態について説明する。本願の宝飾品は、以下に示すペンダントなどのアクセサリに限られず、アクセサリを収納する収納箱なども含まれるものである。なお、以下の説明において、理解し易くするために、図１におけるペンダントの上下方向をペンダントの上下方向、図１（ａ）をペンダントの表面側、図１（ｂ）をペンダントの裏面側として説明する。
【００１５】
本実施形態は、首から胸元へぶら下げるペンダント２に適用したものであるが、本実施形態のアクセサリは、本実施形態のペンダントのほか、腕輪、指輪、イヤリング、ピアス、ブローチ、ネクタイピン、ロープタイ飾り、ベルトのバックル等に適用することが可能である。
【００１６】
本実施形態のペンダント２は、表面に図示しない装飾が施された本体部３と、本体部３の上部に取り付けられたチェーン３ａと、を備えて構成されており、首から胸元へチェーン３ａによって本体部３をぶら下げて使用するものである。
【００１７】
ペンダント２の本体部３は、図１及び図２に示すように、ペンダント２の裏面の中央部に外部と連絡する開口５ａを有する所定の深さの凹部５が形成された本体４と、当該凹部５の開口５ａを塞ぐ蓋体６と、を備えて構成されており、収納部として機能する当該凹部５には、例えば、ペットの遺骨などの収納物１１が収納され、当該収納物１１は凹部５の開口５ａから凹部５内に出し入れ可能になっている。また、本体４の上部には、表裏を貫通する孔４ａが形成されており、当該孔４ａには、チェーン３ａが通されるようになっている。
【００１８】
また、蓋体６により当該凹部５の開口５ａを塞いだ状態において、蓋体６と本体４とからなる本体部３の裏面がほぼ平坦になるように蓋体６が本体４に取り付けられる。また、当該本体４と蓋体６は後述する蝋燭のロウ１０によって固定されるようになっている。
【００１９】
なお、本体４に蓋体６を固定するための部材はロウ１０に限定されるものではなく、加熱により溶融し時間の経過とともに固化する溶融体であればどのようなものであっても構わない。
【００２０】
本体４は、所定の石材をそのまま、又は加工して形成したものであり、この本体４は、所定の厚みを有しており、図２に示すように、縦断面形状において、中央部が少し盛り上がって形成されている。
【００２１】
また、蓋体６は、当該本体４と同じ材質で形成されている。当該蓋体６には、熱伝導率の高い、例えば、金属製の棒状体１５が、当該蓋体６の表裏両面を貫通して設けられている。棒状体１５の先端１５ａは、当該蓋体６を本体４に取り付けた状態において、凹部５の端面に延びてＴ字型に突出して取り付けられており、一方、後端１５ｂは、蓋体６から少し裏面に突出して取り付けられている。当該後端１５ｂは、危険性を考慮して丸みを帯びて形成されている。なお、棒状体１５は、必ずしも熱伝導率の高い材料によって形成されていなくてもよい。棒状体１５の一端を加熱することによって他端がロウ１０を溶かせる程度に加熱される程度の熱伝導性を有していればよい。
【００２２】
また、棒状体１５の先端部分は、どのような形状であってもよく、ロウ１０に対して効率的に熱を伝達できるように適宜設計される。例えば、棒状体１５の先端部分は、図３に示すように、弾性を有するようにスプリング状に形成されてもよい。このようにすれば、凹部５に収納される収納物１１の大きさに応じて当該先端部分が伸縮し、収納物１１の種々の大きさに対応できる。
【００２３】
また、蓋体６は、当該凹部５の開口５ａの径よりも少し小さく形成され、当該蓋体６を本体４に取り付ける際に、蓋体６と本体４の間に隙間ができるようにすることが好ましい。これは、蓋体６を本体４に取り付ける時、凹部５に流し込まれる蝋燭のロウ１０を流し込みすぎた場合に、当該蓋体６の外周及び凹部５の開口５ａに有する隙間からオーバーフローさせることができるからである。このような構成によって、蓋体６は凹部５の開口５ａに容易に取り付けることが可能となっている。
【００２４】
また、凹部５に収納される収納物１１は、ペットや人の遺骨などである。このようにペンダントに遺骨を収容することにより、いつも身に付けておくことができるとともに、いつもそばに置いておくことが可能となる。また、お祈りを捧げる場所（神社や仏閣など）、または生涯忘れる事のできない場所の記念物を収納物として収納しておくことにより、ペンダントを一生のアミュレットとして常に首に掛け胸に抱き願いを捧げることが可能となる。
【００２５】
本体４及び蓋体６の材質としては、ダイヤ、サファイヤ、ルビーなどの宝石や、翡翠、瑪瑙、水晶などの天然石、人工的に作られた石材などが好適に用いられるが、金属や木材などを用い、所定の形状に形成しても構わない。特に、本体４の材質は、凹部５を形成することができればどのような材質であっても構わない。
【００２６】
また、アクセサリ２の形状は楕円に限られず、例えば、勾玉形状、円形状などであっても良く、適宜設計されるものである。
【００２７】
次に、収納部の格納方法と収納物の取出方法について説明する。
【００２８】
収納物１１を格納する場合には、まず、本体４の凹部５の開口５ａから当該凹部５内に遺骨などの収容物１１を入れ、凹部５の開口５ａから蝋燭を溶融したロウ１０を流し込む。当該ロウ１０は凹部５の開口５ａ付近まで流し込む。そして、当該ロウ１０が固まらないうちに当該開口５ａに蓋体６を取り付け、所定の時間が経過するまで放置する。
【００２９】
このようにすれば、所定時間経過後、ロウ１０が固まり、当該ロウ１０を介して本体４に蓋体６が固定される。
【００３０】
次いで、収納物１１を取出す場合には、まず、蓋体６の裏面に突出する棒状体１５の後端１５ｂを加熱する。この加熱によって、棒状体１５の全体に熱が伝達されて加熱されるとともに、当該加熱によって凹部５内のロウ１０が溶融される。これによって、溶融したロウ１０と一緒に収容物１１を取出すことが可能となる。
【００３１】
次に、蓋体の他の実施形態について説明する。
【００３２】
蓋体７は、図４に示すように、その外周が凹部５の内側に向かってその径が小さくなるようにテーパ面を有して形成される。これによって、ロウ１０は、そのテーパ面と本体４との間に容易に入り込むため、本体４に当該蓋体７をしっかりと固定することができる。
【００３３】
また、蓋体７が、例えば、石材など熱伝導率の低い部材で形成される場合には、図４に示すように、当該石材の表面を金属皮膜など熱伝導率の高い部材８で覆うようにしてもよい。このようにすれば、蓋体７の外側（アクセサリ２の裏面側）を加熱することによって、蓋体７の内側（凹部５内）も加熱され、ロウ１０を加熱して溶融することができるため、蓋体７を本体４から取り外すことが容易に可能となる。
【００３４】
また、蓋体７を熱伝導率の高い部材（例えば、金属製）で構成するようにしてもよい。このようにすれば、上記に示すように、熱伝導性を有する部材１５を設けたり、金属皮膜などで蓋体７の表面を覆うことなく、外部からロウ１０に熱を加えることができるので、簡易な構成で本願のアクセサリを構成することができる。
【００３５】
なお、熱伝導性を有する部材は、一部がロウ１０に接し、他の一部が外部と連絡していればどのような形態であっても構わない。このようにすれば、外部から熱を加えることにより、凹部５内のロウ１０に当該熱を伝達し、容易に当該ロウ１０を溶融することが可能となる。
【００３６】
また、凹部５の形状（開口５ａの形状）は円形状ではなく、所定の形状（矩形状、星型形状）に適宜設計されても構わない。
【００３７】
また、本体４の前面は一般のペンダントと同様に宝飾が施されていることが好ましい。
【００３８】
このように製造されたアクセサリは、蓋体６と本体４とがロウ１０によって固定されるので、蓋体６を本体４に固定したり、蓋体６を本体４から取り外したりするための機構を必要としないため、製造工程を減らすことができ、生産性の向上や製造コストの低減が図れる。また、本体部３の裏面をほぼ平坦にすることができ、装飾性、美観性を損なうことなく、アクセサリ２の外観を形成することができる。
【００３９】
次に、本体の他の実施形態について、図５及び図６を用いて説明する。図５及び図６は本体の他の実施形態である。
【００４０】
図５に示すように、本実施形態は、凹部５の壁面周囲に溝部２０が形成されている点で上記実施形態とは異なる。
【００４１】
具体的には、本体４に形成されている凹部５の壁面の一部（例えば、開口側）には、その周囲にわたって溝部２０が形成されている。当該溝部２０は、好ましくは、蓋体６を本体４に取り付けた際に、当該蓋体６の周囲の端面と向き合う位置に形成される。当該溝部２０は、ロウ１０を収納部として機能する凹部５に流し込み固化した際に、その軸線方向に移動するのを規制するために設けられる。これにより、例えば、ロウ１０の滑りによって、凹部５から外部に抜け落ちることを容易に防止可能となっている。
【００４２】
また、溝部２０は、凹部５へロウ１０を流し込む最適量を規定するための最適量規定手段としても機能し、当該溝部２０までロウ１０を流し込み、その後、蓋体６を本体４に取り付けることによって、ロウ１０が当該蓋体６の周囲の端面と凹部５の壁面との間に流れ込み、且つ、当該ロウ１０が開口５ａから溢れ出ないようになっている。これにより、最適量のロウ１０を凹部５に流し込むことが可能になっている。よって、凹部５へのロウ１０の流し込みの超過により開口５ａから溢れ出たロウ１０のふき取り処理などの後処理が発生するのを防ぐことが可能となっている。
【００４３】
また、溝部２０を形成する代わりに、図６に示すように、凹部５の壁面周囲に内側に突出する突出部３０を形成するようにしても良い。
【００４４】
具体的には、本体４に形成されている凹部５の壁面の一部には、その周囲にわたって周方向内側に突出する突出部３０が形成されている。
【００４５】
当該突出部３０は、ロウ１０が固化した際の当該ロウ１０の移動を規制する移動規制手段として機能するとともに、凹部５へロウ１０を流し込む最適量を規定するための最適量規定手段として機能し、且つ蓋体６を本体４に取り付ける際の蓋体６の取付位置を規定する取付位置規定手段として機能する。そして、当該蓋体６を本体４に取り付ける際に、当該蓋体６の端面が突出部３０に当接することで蓋体６の取り付け位置が規定されるようになっている。また、当該突出部３０までロウを流し込み、その後、蓋体６を本体４に取り付けることによって、ロウ１０が当該蓋体６の周囲の端面と凹部５の壁面との間に流れ込み、且つ、ロウ１０が開口５ａから外側に溢れ出ないようになっている。これにより、最適量のロウ１０を凹部５に流し込むことが可能になっているとともに、本体４に蓋体６を取り付けた際に、当該蓋体６の端面と開口５ａ面とが平滑になるようにすることが可能となっている。これにより、ロウ１０を流し込んだ後の後処理を防止できるとともに、蓋体６と本体４とが外側から見て平滑になるので見栄えが良い。
【００４６】
また、固化したロウ１０の抜け落ち防止として、本体４は、図示しないが、凹部５の開口側の径が狭まるように当該凹部５の壁面にテーパを設けるようにしても良い。さらに、本体４は、凹部５の壁面を粗く形成するようにしてもよい。これにより、ロウ１０の壁面への密着力を高めることが容易に可能となり、固化したロウ１０の抜け落ちを防止できる。
【００４７】
なお、本願は上記実施の形態に限定されるものではなく、種々の形態で実施することができる。例えば、本願では、一般的にほぼずっと身に付けられているアクセサリに骨材を収納する収納部（凹部５）を有するようにしたが、一般的に販売されているアクセサリを収容する箱体（図示なし）の収納部とは別に骨材を収納する収納部（凹部５）を設けるようにしても構わない。そのような場合は、箱体の蓋体や本体に当該骨材を収納する収納部として機能する凹部をアクセサリを収納する収納部とは別に形成し、当該凹部の開口を塞ぐ蓋体を蝋燭のロウなどによって固定すればよい。
【００４８】
また、本願は、本実施形態に示す宝飾品の他に、位牌や仏具などに適用することができる。例えば、位牌の下端部に収納部（凹部５）を形成し、当該収納部に遺骨などを収納して蓋体６で閉じるようにしても構わない。なお、本実施形態の宝飾品や位牌、仏具などは、本願の容器として機能するものである。また、図５又は図５で示す溝部２０や突出部３０は、壁面のどの位置に設けられていても構わない。さらに、溝部２０や突出部３０は、製造する上で簡易なため、凹部５の壁面周囲に形成しているが、当該壁面の一部に形成するようにしてもよい。
【図面の簡単な説明】
【００４９】
【図１】アクセサリの全体構造を示し、図１（ａ）は正面図、図１（ｂ）は背面図である。
【図２】アクセサリの内部構造を説明するための縦断面図である。
【図３】蓋体を本体に取り付ける他の実施形態を示す図である。
【図４】蓋体を本体に取り付ける他の実施形態を示す図である。
【図５】本体の他の実施形態を示す図である。
【図６】本体の他の実施形態を示す図である。
【符号の説明】
【００５０】
２  アクセサリ
４  本体
５  凹部
５ａ  開口
６、７  蓋体
８、１５  熱伝導性を有する部材
１０  ロウ
１１  収納物
２０  溝部
３０  突出部
【図１】
2008253658.tif 000003
【図２】
2008253658.tif 000004
【図３】
2008253658.tif 000005
【図４】
2008253658.tif 000006
【図５】
2008253658.tif 000007
【図６】
2008253658.tif 000008